(57)【要約】伝送モードの設定方法、ユーザ機器及び基地局を提供する。伝送モードの設定方法は、ユーザ機器が基地局から送信された上位層シグナリングを受信するステップであって、上位層シグナリングはユーザ機器に伝送モードを設定させるように指示するための情報を含む、ステップと、情報に基づいて、共通参照シンボル又は復調参照シンボルに基づく伝送モードをユーザ機器に設定させるステップと、を含む。これによって、重複利用可能なブロードバンドリソースを増加できる。【選択図】図３
2014517580.tif 000002
【特許請求の範囲】
【請求項１】
基地局及びリモート無線ヘッドによりユーザ機器に対してサービスを提供する通信システムに用いられる伝送モードの設定方法であって、
前記ユーザ機器が前記基地局から送信された上位層シグナリングを受信するステップであって、前記上位層シグナリングは前記ユーザ機器に伝送モードを設定させるように指示するための情報を含む、ステップと、
前記情報に基づいて、共通参照シンボル又は復調参照シンボルに基づく伝送モードを前記ユーザ機器に設定させるステップと、を含む、伝送モードの設定方法。
【請求項２】
前記ユーザ機器の伝送モードが伝送モード９に基づかない閉ループのＭＩＭＯに設定された場合、前記伝送モードは、
共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含む、請求項１に記載の伝送モードの設定方法。
【請求項３】
前記ユーザ機器の伝送モードが伝送モード９に基づく閉ループのＭＩＭＯに設定された場合、前記伝送モードの設定方法は、
前記伝送モード９のフォールバックモードに設定するステップをさらに含み、
前記フォールバックモードは、共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含む、請求項１に記載の伝送モードの設定方法。
【請求項４】
基地局及びリモート無線ヘッドによりユーザ機器に対してサービスを提供する通信システムに用いられる伝送モードの設定方法であって、
前記基地局が前記ユーザ機器へ上位層シグナリングを送信するステップであって、前記上位層シグナリングは前記ユーザ機器に伝送モードを設定させるように指示するための情報を含む、ステップ、を含む、伝送モードの設定方法。
【請求項５】
基地局及びリモート無線ヘッドによりユーザ機器に対してサービスを提供する通信システムに用いられる伝送モードの設定方法であって、
前記ユーザ機器が前記基地局から送信されたダウンリンク制御情報を受信するステップであって、前記ダウンリンク制御情報は復調参照シンボルを示すフィールドを含む、ステップと、
前記ダウンリンク制御情報に基づいて、前記復調参照シンボルに基づく伝送モードを前記ユーザ機器に設定させるステップと、を含む、伝送モードの設定方法。
【請求項６】
前記ユーザ機器の伝送モードが開ループのＭＩＭＯに設定された場合、前記伝送モードは、
送信ダイバーシティが２つのアンテナを用いるとき、復調参照シンボルがアンテナポート７、８を用い、送信ダイバーシティが４つのアンテナを用いるとき、復調参照シンボルがアンテナポート７〜１０を用いること、を含む、請求項５に記載の伝送モードの設定方法。
【請求項７】
前記ユーザ機器の伝送モードが開ループのＭＩＭＯに設定され、且つ前記フィールドが１つのコーディングコードである場合、前記伝送モードは、
送信ダイバーシティが２つのデータストリームを用いるとき、前記復調参照シンボルがアンテナポート７、８を用い、送信ダイバーシティが４つのデータストリームを用いるとき、前記復調参照シンボルがアンテナポート７〜１０を用いること、を含む、請求項５に記載の伝送モードの設定方法。
【請求項８】
前記ユーザ機器の伝送モードが開ループのＭＩＭＯに設定され、且つ前記フィールドが２つのコーディングコードである場合、前記伝送モードは、
送信ダイバーシティが２つのデータストリームを用いるとき、前記復調参照シンボルがアンテナポート７、８を用い、送信ダイバーシティが３つのデータストリームを用いるとき、前記復調参照シンボルがアンテナポート７〜９を用い、送信ダイバーシティが４つのデータストリームを用いるとき、前記復調参照シンボルがアンテナポート７〜１０を用いること、を含む、請求項５に記載の伝送モードの設定方法。
【請求項９】
前記ユーザ機器の伝送モードが伝送モード９に基づく閉ループのＭＩＭＯに設定された場合、前記伝送モードは、
前記伝送モード９のフォールバックモードに設定し、
前記フォールバックモードは、送信ダイバーシティが２つのアンテナを用いるとき、復調参照シンボルがアンテナポート７、８を用い、送信ダイバーシティが４つのアンテナを用いるとき、復調参照シンボルがアンテナポート７〜１０を用いること、を含む請求項５に記載の伝送モードの設定方法。
【請求項１０】
基地局及びリモート無線ヘッドによりユーザ機器に対してサービスを提供する通信システムに用いられる伝送モードの設定方法であって、
前記基地局が前記ユーザ機器へダウンリンク制御情報を送信するステップであって、前記ダウンリンク制御情報は復調参照シンボルを示すフィールドを含む、ステップ、を含む、伝送モードの設定方法。
【請求項１１】
基地局から送信された上位層シグナリングを受信するシグナリング受信手段であって、前記上位層シグナリングは前記ユーザ機器に伝送モードを設定させるように指示するための情報を含む、シグナリング受信手段と、
前記情報に基づいて、共通参照シンボル又は復調参照シンボルに基づく伝送モードに設定する第１の設定手段と、を含む、ユーザ機器。
【請求項１２】
前記ユーザ機器の伝送モードが伝送モード９に基づかない閉ループのＭＩＭＯに設定された場合、前記伝送モードは、
共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含む、請求項１１に記載のユーザ機器。
【請求項１３】
前記ユーザ機器の伝送モードが伝送モード９に基づく閉ループのＭＩＭＯに設定された場合、前記第１の設定手段は、前記伝送モード９のフォールバックモードにさらに設定し、
前記フォールバックモードは、共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含む、請求項１１に記載のユーザ機器。
【請求項１４】
ユーザ機器へ上位層シグナリングを送信するシグナリング送信手段であって、前記上位層シグナリングは前記ユーザ機器に伝送モードを設定させるように指示するための情報を含む、シグナリング送信手段、を含む、基地局。
【請求項１５】
基地局から送信されたダウンリンク制御情報を受信する情報受信手段であって、前記ダウンリンク制御情報は復調参照シンボルを示すフィールドを含む、情報受信手段と、
前記ダウンリンク制御情報に基づいて、前記復調参照シンボルに基づく伝送モードを前記ユーザ機器に設定させる第２の設定手段と、を含む、ユーザ機器。
【請求項１６】
前記ユーザ機器の伝送モードが開ループのＭＩＭＯに設定された場合、前記伝送モードは、
送信ダイバーシティが２つのアンテナを用いるとき、復調参照シンボルがアンテナポート７、８を用い、送信ダイバーシティが４つのアンテナを用いるとき、復調参照シンボルがアンテナポート７〜１０を用いること、を含む、請求項１５に記載のユーザ機器。
【請求項１７】
前記ユーザ機器の伝送モードが開ループのＭＩＭＯに設定され、且つ前記フィールドが１つのコーディングコードである場合、前記伝送モードは、
送信ダイバーシティが２つのデータストリームを用いるとき、前記復調参照シンボルがアンテナポート７、８を用い、送信ダイバーシティが４つのデータストリームを用いるとき、前記復調参照シンボルがアンテナポート７〜１０を用いること、を含む、請求項１５に記載のユーザ機器。
【請求項１８】
前記ユーザ機器の伝送モードが開ループのＭＩＭＯに設定され、且つ前記フィールドが２つのコーディングコードである場合、前記伝送モードは、
送信ダイバーシティが２つのデータストリームを用いるとき、前記復調参照シンボルがアンテナポート７、８を用い、送信ダイバーシティが３つのデータストリームを用いるとき、前記復調参照シンボルがアンテナポート７〜９を用い、送信ダイバーシティが４つのデータストリームを用いるとき、前記復調参照シンボルがアンテナポート７〜１０を用いること、を含む、請求項１５に記載のユーザ機器。
【請求項１９】
前記ユーザ機器の伝送モードが伝送モード９に基づく閉ループのＭＩＭＯに設定された場合、前記第２の設定手段は、前記伝送モード９のフォールバックモードにさらに設定し、
前記フォールバックモードは、送信ダイバーシティが２つのアンテナを用いるとき、復調参照シンボルがアンテナポート７、８を用い、送信ダイバーシティが４つのアンテナを用いるとき、復調参照シンボルがアンテナポート７〜１０を用いること、を含む請求項１５に記載のユーザ機器。
【請求項２０】
ユーザ機器へダウンリンク制御情報を送信する情報送信手段であって、前記ダウンリンク制御情報は復調参照シンボルを示すフィールドを含む、情報送信手段、を含む、基地局。
【請求項２１】
ユーザ機器においてプログラムを実行する際に、コンピュータに、請求項１乃至３のいずれか、又は請求項５乃至９のいずれかに記載の伝送モードの設定方法を前記ユーザ機器において実行させるコンピュータ読み出し可能なプログラム。
【請求項２２】
コンピュータに、請求項１乃至３のいずれか、又は請求項５乃至９のいずれかに記載の伝送モードの設定方法をユーザ機器において実行させるためのコンピュータ読み出し可能なプログラムを記憶する記憶媒体。
【請求項２３】
基地局においてプログラムを実行する際に、コンピュータに、請求項４又は１０に記載の伝送モードの設定方法を前記基地局において実行させるコンピュータ読み出し可能なプログラム。
【請求項２４】
コンピュータに、請求項４又は１０に記載の伝送モードの設定方法を基地局において実行させるためのコンピュータ読み出し可能なプログラムを記憶する記憶媒体。
【発明の詳細な説明】
【技術分野】
【０００１】
本発明は、通信分野に関し、特に伝送モードの設定方法、ユーザ機器及び基地局に関する。
【背景技術】
【０００２】
ロングタームエボリューション（LTE：Long Term Evolution）システムRel.8/9は、伝送モジュール（Transmission Mode）１乃至８を定義し、各伝送モードは異なるスケジューリングシグナリング、即ちダウンリンク制御情報フォーマット（DCI Format：Downlink Control Information
Format）にそれぞれ対応する。例えば、伝送モード２は送信ダイバーシティのモードを示し、ＤＣＩ  ｆｏｒｍａｔ  １に対応しており、伝送モード３は開ループ（Open-Loop）のマルチ入力マルチ出力（MIMO：Multiple Input Multiple Output）のモードを示し、ＤＣＩ  ｆｏｒｍａｔ  ２Ａに対応しており、伝送モード４は閉ループ（Closed-Loop）のＭＩＭＯのモードを示し、ＤＣＩ  ｆｏｒｍａｔ  ２に対応している。
【０００３】
伝送モード１乃至８に設定されたユーザ機器は、共通参照シンボル（CRS：Common Reference Symbol）を用いてチャネル推定を行って、チャネル状態情報の推定及びデータの復調を行う。データ伝送の信頼性を向上するため、システムは各伝送モードに対して対応するフォールバックモード（fallback mode）を提供し、例えば伝送モード２／３／４のフォールバックモードは共に送信ダイバーシティであり、ＤＣＩ  ｆｏｒｍａｔ  １Ａに対応する。
【０００４】
ＬＴＥ  Ｒｅｌ．１０及びそれ以上のバージョンのシステムは、閉ループのＭＩＭＯについて新たな伝送モード９を定義し、それに対応する伝送モードも閉ループのＭＩＭＯであり、ＤＣＩ  ｆｏｒｍａｔ  ２Ｃを用いており、そのフォールバックモードも送信ダイバーシティであり、ＤＣＩ  ｆｏｒｍａｔ  １Ａに対応する。
【０００５】
ＬＴＥ  Ｒｅｌ．８／９の閉ループＭＩＭＯの送信モード４とＬＴＥ  Ｒｅｌ．１０及びそれ以上の閉ループＭＩＭＯの送信モード９との相違点は以下となります。前者は、最多４本のダウンリンクの送信アンテナを提供することが可能となり、この送信モードに設定されたユーザ機器はＣＲＳを用いてチャネル推定を行って、チャネル情報測定及び復号を行う。後者は、最多８本のダウンリンクの送信アンテナを提供することが可能となり、この送信モードに設定されたユーザ機器は専用のチャネル状態情報参照信号（CSI-RS：Channel State Information Reference
Symbol）を用いてチャネル推定を行って、チャネル情報測定を行い、ＣＳＩ−ＲＳに対応するアンテナポートは１５−２２であり、専用の復調参照シンボル（DM-RS：Demodulation Reference Symbol）を用いてチャネル推定を行って復号を補助し、ＤＭ−ＲＳに対応するアンテナポートは７−１４である。
【０００６】
図１は、ＬＴＥ  Ｒｅｌ．１１において複数点協力の送信モードを実現可能な典型的なシーンの模式図である。図１に示すように、システムには、マクロ送信ポイント（Macro point）１０１と、リモード送信ポイント（RRH：Radio Remote Head）１０２、１０３、１０４とを含む。マクロ送信ポイントは、高電力の送信ポイントであり、リモード送信ポイントは、低電力の送信ポイントである。リモート送信ポイントのカバー範囲はマクロ送信ポイントのカバー範囲内に含まれ、リモート送信ポイントは殆どユーザの多いホット領域に配置されている。マクロ送信ポイントのカバー範囲内のユーザ機器とリモート送信ポイントのカバー範囲内のユーザ機器とは同じセルＩＤを共有し、その結果の一つは、マクロ送信ポイントとリモート送信ポイントとは同じ時間及び周波数位置において同じＣＲＳを送信する。
【０００７】
このシーンにおいては、ユーザ機器１０５はＬＴＥ  Ｒｅｌ．８のユーザ機器であってもよく、ＣＲＳに基づく送信モード３に設定される。ＣＲＳを用いてチャネル推定を行う場合、マクロ送信ポイント及び全てのリモート送信ポイントからの共同チャネルが測定された。信号検出への影響を回避する、即ち送信信号と対応するチャネル推定とをマッチングさせるため、マクロ送信ポイントと全てのリモート送信ポイントとは同じ時間及び周波数でユーザ機器へデータ信号を送信する。
【０００８】
このシーンにおいては、ユーザ機器１０６、１０７はＬＴＥ  Ｒｅｌ．１１のユーザ機器であってもよく、送信モード９に設定される。ＣＳＩ−ＲＳ及びＤＭ−ＲＳは専用の参照シンボルであるため、各リモート送信ポイントが異なるＣＳＩ−ＲＳを設定すると、各リモート送信ポイントは同じ時間及び周波数の位置において自分がカバーした範囲内のユーザ機器へデータをそれぞれ送信することができ、このようなユーザ機器はＤＭ−ＲＳを用いて復調を行う。
【０００９】
しかし、本発明を実現する過程では、発明者が従来技術の以下の欠陥を発見した。ＬＴＥ  Ｒｅｌ．１１のユーザ機器はＣＲＳに基づく送信モードに設定すると、Ｒｅｌ．８／９のユーザ機器と共にデータリソースを占めてデータを送信するから、システムのスループットが降下してしまう。
【００１０】
また、伝送モード９に配置されたユーザ機器は、ＣＳＩ−ＲＳ及びＤＭ−ＲＳに基づいてチャネル推定を行い、そのフォールバックモードは送信ダイバーシティであり、送信ダイバーシティの送信モードはＣＲＳに基づいてチャネル推定を行う。この場合は、複数のＲＲＨのカバー範囲内の、伝送モード９に設定された複数のユーザ機器が同じ時間周波数リソース（Time Frequency Resource）を共用してデータを送信するとき、そのうち１つのユーザ機器がフォールバックモードに設定されると、他のユーザ機器はこの時間周波数リソースにおいてデータを送信することができなくなる。
【００１１】
なお、従来技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【００１２】
本発明の実施例は、伝送モードの設定方法、ユーザ機器及び基地局を提供し、重複利用可能なブロードバンドリソースを増加できることを目的とする。
【課題を解決するための手段】
【００１３】
本発明の実施例の一の態様によれば、基地局及びリモート無線ヘッドによりユーザ機器に対してサービスを提供する通信システムに用いられる伝送モードの設定方法であって、前記ユーザ機器が前記基地局から送信された上位層シグナリングを受信するステップであって、前記上位層シグナリングは前記ユーザ機器に伝送モードを設定させるように指示するための情報を含む、ステップと、前記情報に基づいて、共通参照シンボル又は復調参照シンボルに基づく伝送モードを前記ユーザ機器に設定させるステップと、を含む、伝送モードの設定方法が提供される。
【００１４】
本発明の実施例の他の態様によれば、基地局及びリモート無線ヘッドによりユーザ機器に対してサービスを提供する通信システムに用いられる伝送モードの設定方法であって、前記基地局が前記ユーザ機器へ上位層シグナリングを送信するステップであって、前記上位層シグナリングは前記ユーザ機器に伝送モードを設定させるように指示するための情報を含む、ステップ、を含む、伝送モードの設定方法が提供される。
【００１５】
本発明の実施例の他の態様によれば、基地局及びリモート無線ヘッドによりユーザ機器に対してサービスを提供する通信システムに用いられる伝送モードの設定方法であって、前記ユーザ機器が前記基地局から送信されたダウンリンク制御情報を受信するステップであって、前記ダウンリンク制御情報は復調参照シンボルを示すフィールドを含む、ステップと、前記ダウンリンク制御情報に基づいて、前記復調参照シンボルに基づく伝送モードを前記ユーザ機器に設定させるステップと、を含む、伝送モードの設定方法が提供される。
【００１６】
本発明の実施例の他の態様によれば、本発明基地局及びリモート無線ヘッドによりユーザ機器に対してサービスを提供する通信システムに用いられる伝送モードの設定方法であって、前記基地局が前記ユーザ機器へダウンリンク制御情報を送信するステップであって、前記ダウンリンク制御情報は復調参照シンボルを示すフィールドを含む、ステップ、を含む、伝送モードの設定方法が提供される。
【００１７】
本発明の実施例の他の態様によれば、基地局から送信された上位層シグナリングを受信するシグナリング受信手段であって、前記上位層シグナリングは前記ユーザ機器に伝送モードを設定させるように指示するための情報を含む、シグナリング受信手段と、前記情報に基づいて、共通参照シンボル又は復調参照シンボルに基づく伝送モードに設定する第１の設定手段と、を含む、ユーザ機器が提供される。
【００１８】
本発明の実施例の他の態様によれば、ユーザ機器へ上位層シグナリングを送信するシグナリング送信手段であって、前記上位層シグナリングは前記ユーザ機器に伝送モードを設定させるように指示するための情報を含む、シグナリング送信手段、を含む、基地局が提供される。
【００１９】
本発明の実施例の他の態様によれば、基地局から送信されたダウンリンク制御情報を受信する情報受信手段であって、前記ダウンリンク制御情報は復調参照シンボルを示すフィールドを含む、情報受信手段と、前記ダウンリンク制御情報に基づいて、前記復調参照シンボルに基づく伝送モードを前記ユーザ機器に設定させる第２の設定手段と、を含む、ユーザ機器が提供される。
【００２０】
本発明の実施例の他の態様によれば、前記ユーザ機器へダウンリンク制御情報を送信する情報送信手段であって、前記ダウンリンク制御情報は復調参照シンボルを示すフィールドを含む、情報送信手段、を含む、基地局が提供される。
【００２１】
本発明の実施例の他の態様によれば、ユーザ機器においてプログラムを実行する際に、コンピュータに、上記の伝送モードの設定方法を前記ユーザ機器において実行させるコンピュータ読み出し可能なプログラムが提供される。
【００２２】
本発明の実施例の他の態様によれば、コンピュータに、上記の伝送モードの設定方法をユーザ機器において実行させるためのコンピュータ読み出し可能なプログラムを記憶する記憶媒体が提供される。
【００２３】
本発明の実施例の他の態様によれば、基地局においてプログラムを実行する際に、コンピュータに、上記の伝送モードの設定方法を前記基地局において実行させるコンピュータ読み出し可能なプログラムが提供される。
【００２４】
本発明の実施例の他の態様によれば、コンピュータに、上記の伝送モードの設定方法を基地局において実行させるためのコンピュータ読み出し可能なプログラムを記憶する記憶媒体が提供される。
【００２５】
本発明の実施例の有益な効果は、設定された伝送モード又は新たに定義された伝送モードをシグナリングにより通知し、重複利用可能なリソースを増加でき、閉ループでないＭＩＭＯの送信モードに設定されても、ユーザ機器は重複利用可能なリソースにおいてデータの送信を行うことができる。
【００２６】
また、複数のユーザ機器が同じ時間周波数リソースを共有してデータを送信し、そのうち１つのユーザ機器がフォールバックモードを設定する必要がある場合でも、他のユーザ機器はこの時間周波数リソースにおいてデータを送信できる。
【００２７】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２８】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２９】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００３０】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００３１】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】ＬＴＥ  Ｒｅｌ．１１において複数点協力の送信モードを実現可能な典型的なシーンの模式図。
【図２】システムリソースの構成を示す図。
【図３】本発明の実施例に係る伝送モードの設定方法のフローチャート。
【図４】本発明の実施例のユーザ機器の構成を示す図。
【図５】本発明の実施例に係る伝送モードの設定方法の他のフローチャート。
【図６】本発明の実施例のユーザ機器の他の構成を示す図。
【図７】本発明の実施例のユーザ機器のシステム構成図。
【図８】本発明の実施例のユーザ機器の他のシステム構成図。
【発明を実施するための形態】
【００３２】
本発明の前述した特徴及び他の特徴は、図面を参照しながら、下記の明細書を通じて分かる。明細書及び図面では、本発明の特定の実施形態を具体的に開示し、本発明の原則的な一部の実施形態を採用してもよいことが示される。なお、本発明は、記載された実施形態に限定されず、本発明は添付された特許請求の範囲内の全ての修正されたもの、変形したもの及び均等のものを含む。
【００３３】
本発明の実施例は、基地局及びリモート無線ヘッドによりユーザ機器に対してサービスを提供する通信システムに用いられ、該通信システムはＬＴＥシステムであってもよいが、これに限定されない。本実施例では、システムのリソースは２種類に分けられる。第１種類は重複利用不可のリソースであり、ＣＲＳに基づく伝送モードに設定された移動局に割り当てられる。第２種類は重複利用可能なリソースであり、ＣＳＩ−ＲＳ及びＤＭ−ＲＳに基づく伝送モードに設定された移動局に割り当てられる。
【００３４】
図２は、システムリソースの構成を示す図である。図２に示すように、重複利用可能なブロードバンドリソース２０２は、ブロードバンド全体からＣＲＳに基づくモードに占められるブロードバンドリソース２０１を減らしたものである。本発明は、重複利用可能なブロードバンドリソースを増加することを目的とする。
【００３５】
本発明の実施例は、基地局及びリモート無線ヘッドによりユーザ機器に対してサービスを提供する通信システムに用いられる伝送モードの設定方法を提供する。図３は、本発明の実施例に係る伝送モードの設定方法のフローチャートである。
【００３６】
図３に示すように、ユーザ機器側では、該方法は、以下のステップを含む。
【００３７】
ステップ３０１において、ユーザ機器が基地局から送信された上位層シグナリングを受信する。該上位層シグナリングは、ユーザ機器に伝送モードを設定させるように指示するための情報を含む。
【００３８】
ステップ３０２において、該情報に基づいて、共通参照シンボル又は復調参照シンボルに基づく伝送モードを前記ユーザ機器に設定させる。
【００３９】
本実施例では、ユーザ機器はＬＴＥ  Ｒｅｌ．１１及びそれ以上のバージョンのユーザ機器であってもよく、基地局はマクロ基地局であってもよい。該上位層シグナリングは、上位層の媒体アクセス制御層（MAC：Medium Access Control）のシグナリング又は無線リソース制御プロトコル（RRC：Radio Resource Control）のシグナリングであってもよい。
【００４０】
１つの実施例では、ユーザ機器は伝送モード９に基づかない閉ループのＭＩＭＯに基地局により設定されると、該伝送モードは、共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含む。
【００４１】
例えば、基地局は該ユーザ機器へ上位層シグナリングを送信し、該上位層シグナリングはユーザ機器に伝送モードを設定させるように指示するための情報を含み、該情報は例えば１ビット（bit）であってもよい。
【００４２】
該ビット値が０（又は１）である場合、該伝送モードはＣＲＳに基づくものであってもよく、即ちユーザ機器は、ＣＲＳによりチャネル推定を行い、チャネル状態情報の推定及びデータの復調を行う。
【００４３】
該ビット値が１（又は０）である場合、該伝送モードはＣＳＩ−ＲＳに基づいてチャネル推定を行って、チャネル状態情報を推定しており、ＤＭ−ＲＳに基づいてチャネル推定を行って、データの復調を行ってもよい。具体的に実施する際に、ユーザ機器がＤＭ−ＲＳのアンテナポートの情報を受信したことが必要である。
【００４４】
もう１つの実施例では、ユーザ機器は伝送モード９に基づく閉ループのＭＩＭＯに設定された場合、伝送モードの設定方法は、伝送モード９のフォールバックモードに設定するステップをさらに含んでもよい。ここで、該フォールバックモードは、共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含む。
【００４５】
例えば、基地局がユーザ機器へ上位層シグナリングを送信してもよく、該上位層シグナリングはユーザ機器に伝送モードを設定させるように指示するための情報を含み、該情報は例えば１ビット（bit）であってもよい。
【００４６】
該ビット値が０（又は１）である場合、該伝送モード９のフォールバックモード、即ち送信ダイバーシティの伝送モードはＣＲＳに基づくものであってもよく、言い換えれば、ユーザ機器は、ＣＲＳによりチャネル推定を行い、チャネル状態情報の推定及びデータの復調を行う。
【００４７】
該ビット値が１（又は０）である場合、該伝送モード９のフォールバックモード、即ち送信ダイバーシティの伝送モードはＣＳＩ−ＲＳに基づいてチャネル推定を行って、チャネル状態情報を推定しており、ＤＭ−ＲＳに基づいてチャネル推定を行って、データの復調を行ってもよい。
【００４８】
本実施例では、ＤＭ−ＲＳに基づくモードに設定されると、基地局とユーザ機器とは共にＤＭ−ＲＳの位置を知っているから、従来技術を採用してもよく、ここにその説明を省略とされる。以上、上位層シグナリングを用いて伝送モードを設定することを例示的に説明しているが、これに限定されず、具体的な状況に応じて具体的な実施態様を決定してもよい。
【００４９】
本発明はユーザ機器をさらに提供し、図４は、本発明の実施例のユーザ機器の構成を示す図である。図４に示すように、該ユーザ機器は、シグナリング受信部４０１、及び第１の設定部４０２を含む。
【００５０】
シグナリング受信部４０１は、基地局から送信された上位層シグナリングを受信する。該上位層シグナリングは、ユーザ機器に伝送モードを設定させるように指示するための情報を含む。
【００５１】
第１の設定部４０２は、該情報に基づいて、共通参照シンボル又は復調参照シンボルに基づく伝送モードに設定する。
【００５２】
具体的には、１つの実施例では、ユーザ機器が伝送モード９に基づかない閉ループのＭＩＭＯに設定され、該伝送モードは、共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含んでもよい。
【００５３】
具体的には、もう一つの実施例では、ユーザ機器が伝送モード９に基づく閉ループのＭＩＭＯに設定され、第１の設定部４０２は、伝送モード９のフォールバックモードにさらに設定する。
【００５４】
ここで、該フォールバックモードは、共通参照シンボルに基づいてチャネル状態情報の推定及びデータの復調を行うこと、又はチャネル状態情報参照シンボルに基づいてチャネル状態情報を推定し、且つ復調参照シンボルに基づいてデータの復調を行うこと、を含む。
【００５５】
本発明の実施例は、基地局及びリモート無線ヘッドによりユーザ機器に対してサービスを提供する通信システムに用いられる伝送モードの設定方法をさらに提供する。
【００５６】
基地局側では、該方法は、基地局がユーザ機器へ上位層シグナリングを送信するステップであって、上位層シグナリングはユーザ機器に伝送モードを設定させるように指示するための情報を含む、ステップ、を含む。
【００５７】
本発明の実施例は基地局をさらに提供し、該基地局はシグナリング送信部を含む。該シグナリング送信部は、該ユーザ機器へ上位層シグナリングを送信する。該上位層シグナリングはユーザ機器に伝送モードを設定させるように指示するための情報を含む。
【００５８】
以上のことから、上位層シグナリングにより伝送モードを設定することで、重複利用可能なリソースを増加でき、閉ループでないＭＩＭＯの送信モードに設定されても、ユーザ機器は重複利用可能なリソースにおいてデータの送信を行うことができる。
【００５９】
また、複数のユーザ機器が同じ時間周波数リソースを共有してデータを送信し、そのうち１つのユーザ機器がフォールバックモードを設定する必要がある場合でも、他のユーザ機器はこの時間周波数リソースにおいてデータを送信できる。
【００６０】
本発明の実施例は、基地局及びリモート無線ヘッドによりユーザ機器に対してサービスを提供する通信システムに用いられる伝送モードの設定方法をさらに提供する。図５は、本発明の実施例に係る伝送モードの設定方法の他のフローチャートである。
【００６１】
図５に示すように、ユーザ機器側では、該方法は以下のステップを含む。
【００６２】
ステップ５０１において、ユーザ機器が基地局から送信されたダウンリンク制御情報を受信する。該ダウンリンク制御情報は、復調参照シンボルを示すフィールドを含む。
【００６３】
ステップ５０２において、該ダウンリンク制御情報に基づいて、復調参照シンボルに基づく伝送モードをユーザ機器に設定させる。
【００６４】
本実施例では、ユーザ機器は、ＬＴＥ  Ｒｅｌ．１１及びそれ以上のバージョンのユーザ機器であってもよく、基地局は、マクロ基地局であってもよい。基地局は、ユーザ機器に対して新たな伝送モードを定義し、ＤＭ−ＲＳを示すフィールドを対応するＤＣＩに追加する。よって、ＣＳＩ−ＲＳに基づいてチャネル推定を行い、チャネル状態情報を推定しており、ＤＭ−ＲＳに基づいてチャネル推定を行い、データ復調を行うことが実現された。
【００６５】
１つの実施例では、ユーザ機器は、開ループのＭＩＭＯに設定される。基地局は送信ダイバーシティの新たな伝送モード１０を定義してもよく、該伝送モードは、送信ダイバーシティが２つのアンテナを用いるとき、ＤＭ―ＲＳがアンテナポート７、８を用い、送信ダイバーシティが４つのアンテナを用いるとき、ＤＭ―ＲＳがアンテナポート７〜１０、即ち７、８、９、１０を用いること、を含んでもよい。
【００６６】
もう１つの実施例では、ユーザ機器は開ループＭＩＭＯに設定され、基地局は送信ダイバーシティの新たな伝送モード１１を定義してもよい。表１は、該伝送モードを示す。
【００６７】
【表１】
2014517580.tif 000003
表１に示すように、対応するＤＣＩに追加されたフィールドが１つのコーディングコードである場合、該伝送モードは、送信ダイバーシティが２つのデータストリームを用いるとき、ＤＭ−ＲＳがアンテナポート７、８を用い、送信ダイバーシティが４つのデータストリームを用いるとき、ＤＭ−ＲＳがアンテナポート７〜１０を用いること、を含んでもよい。
【００６８】
対応するＤＣＩに追加されたフィールドが２つのコーディングコードである場合、該伝送モードは、送信ダイバーシティが２つのデータストリームを用いるとき、ＤＭ−ＲＳがアンテナポート７、８を用い、送信ダイバーシティが３つのデータストリームを用いるとき、ＤＭ−ＲＳがアンテナポート７〜９を用い、送信ダイバーシティが４つのデータストリームを用いるとき、ＤＭ−ＲＳがアンテナポート７〜１０を用いること、を含んでもよい。
【００６９】
もう１つの実施例では、ユーザ機器が伝送モード９に基づく閉ループのＭＩＭＯに設定され、該伝送モードは、伝送モード９のフォールバックモードに設定するステップをさらに含む。ここで、該フォールバックモードは、上記の伝送モード１０を採用する、言い換えれば、送信ダイバーシティが２つのアンテナを用いるとき、ＤＭ−ＲＳがアンテナポート７、８を用い、送信ダイバーシティが４つのアンテナを用いるとき、ＤＭ−ＲＳがアンテナポート７〜１０を用いること、を含んでもよい。
【００７０】
以上は新たな伝送モードを定義することが説明されているが、これに限定されず、具体的な状況に応じて具体的な実施形態を決定してもよい。
【００７１】
本発明の実施例はユーザ機器をさらに提供し、図６は、本発明の実施例のユーザ機器の他の構成を示す図である。図６に示すように、該ユーザ機器は、情報受信部６０１、及び第２の設定部６０２を含む。
【００７２】
情報受信部６０１は、基地局から送信されたダウンリンク制御情報を受信する。該ダウンリンク制御情報は、復調参照シンボルを示すフィールドを含む。
【００７３】
第２の設定部６０２は、該ダウンリンク制御情報に基づいて、復調参照シンボルに基づく伝送モードをユーザ機器に設定させる。
【００７４】
具体的には、１つの実施例では、ユーザ機器が開ループのＭＩＭＯに設定され、基地局は送信ダイバーシティの新たな伝送モード１０を定義してもよい。該伝送モードは、送信ダイバーシティが２つのアンテナを用いるとき、ＤＭ−ＲＳがアンテナポート７、８を用い、送信ダイバーシティが４つのアンテナを用いるとき、ＤＭ−ＲＳがアンテナポート７〜１０を用いること、を含んでもよい。
【００７５】
具体的には、もう１つの実施例では、ユーザ機器が開ループのＭＩＭＯに設定され、基地局は送信ダイバーシティの新たな伝送モード１１を定義してもよい。フィールドが１つのコーディングコードである場合、該伝送モードは、送信ダイバーシティが２つのデータストリームを用いるとき、復調参照シンボルがアンテナポート７、８を用い、送信ダイバーシティが４つのデータストリームを用いるとき、復調参照シンボルがアンテナポート７〜１０を用いること、を含んでもよい。
【００７６】
具体的には、もう１つの実施例では、ユーザ機器が開ループのＭＩＭＯに設定され、基地局は送信ダイバーシティの新たな伝送モード１１を定義してもよい。フィールドが２つのコーディングコードである場合、該伝送モードは、送信ダイバーシティが２つのデータストリームを用いるとき、復調参照シンボルがアンテナポート７、８を用い、送信ダイバーシティが３つのデータストリームを用いるとき、復調参照シンボルがアンテナポート７〜９を用い、送信ダイバーシティが４つのデータストリームを用いるとき、復調参照シンボルがアンテナポート７〜１０を用いること、を含んでもよい。
【００７７】
具体的には、もう１つの実施例では、ユーザ機器が伝送モード９に基づく閉ループのＭＩＭＯに設定され、該第２の設定部６０２は、伝送モード９のフォールバックモードにさらに設定する。ここで、該フォールバックモードは、送信ダイバーシティが２つのアンテナを用いるとき、ＤＭ−ＲＳがアンテナポート７、８を用い、送信ダイバーシティが４つのアンテナを用いるとき、ＤＭ−ＲＳがアンテナポート７〜１０を用いること、を含む。
【００７８】
本発明の実施例は、基地局及びリモート無線ヘッドによりユーザ機器に対してサービスを提供する通信システムに用いられる伝送モードの設定方法をさらに提供する。
【００７９】
基地局側では、該方法は、基地局が前記ユーザ機器へダウンリンク制御情報を送信するステップであって、前記ダウンリンク制御情報は復調参照シンボルを示すフィールドを含む。
【００８０】
本発明の実施例は、情報送信部を含む基地局をさらに提供する。該情報送信部は、ユーザ機器へダウンリンク制御情報を送信する情報送信手段であって、該ダウンリンク制御情報は復調参照シンボルを示すフィールドを含む。
【００８１】
以上のことから、新たな伝送モードを定義することで、重複利用可能なリソースを増加でき、閉ループでないＭＩＭＯの送信モードに設定されても、ユーザ機器は重複利用可能なリソースにおいてデータの送信を行うことができる。
【００８２】
また、複数のユーザ機器が同じ時間周波数リソースを共有してデータを送信し、そのうち１つのユーザ機器がフォールバックモードを設定する必要がある場合でも、他のユーザ機器はこの時間周波数リソースにおいてデータを送信できる。
【００８３】
図７は、本発明の実施例のユーザ機器７００のシステム構成を示すブロック図であり、ユーザ機器７００は、上記のシグナリング受信部４０１及び第１の設定部４０２を含む。図８は、本発明の実施例のユーザ機器８００の他のシステム構成を示すブロック図であり、ユーザ機器８００は、上記の情報受信部６０１及び第２の設定部６０２を含む。
【００８４】
図７及び図８は例示的なものであり、他のタイプの構造を用いて、該構造を補間或いは代替して、電気通信機能又は他の機能を実現してもよい。
【００８５】
図７、図８に示すように、ユーザ機器７００、８００は、中央処理装置（CPU：Central Processing Unit）１００、通信モジュール１１０、入力部１２０、音声処理部１３０、メモリ１４０、カメラ１５０、ディスプレー１６０、及び電源１７０をさらに含んでもよい。
【００８６】
該ＣＰＵ１００（ある場合コントローラ又は操作制御ユニットとも称し、マイクロ処理装置又は他の処理装置及び／又はロジック装置を含んでもよい）は、入力を受付して、ユーザ機器の各部及びその操作を制御する。入力部１２０は、ＣＰＵ１００への入力を供給する。該入力部１２０は、例えばキー又はタッチ入力装置である。カメラ１５０は、画像データを取得し、通常の方式で利用する、例えば記憶又は伝送を行うように、取得された画像データをＣＰＵへ供給する。
【００８７】
電源１７０は、ユーザ機器へ電力を供給する。ディスプレー１６０は、画像及び文字等の表示対象を表示する。該ディスプレーは、例えばＬＣＤディスプレーであってもよいが、これに限定されない。
【００８８】
メモリ１４０は、ＣＰＵ１００に接続される。該メモリ１４０は、固体メモリ、例えば読み出し専用メモリ（ＲＯＭ）、ランダムアクセスメモリ（ＲＡＭ）、ＳＩＭカード等であってもよい。また、メモリ１４０は、電源が切れても情報を保存でき、選択的に削除され、且つ多くのデータを設けることが可能なメモリであってもよく、このようなメモリはある場合ＥＰＲＯＭ等とも称する。メモリ１４０は、ある種の他のタイプの装置であってもよい。メモリ１４０は、バッファーメモリ１４１（ある場合はバッファとも称する）を含む。メモリ１４０は、アプリケーション／ファンクション記憶部１４２を含んでもよく、該アプリケーション／ファンクション記憶部１４２は、アプリケーションプログラム及びファンクションプログラムを記憶する、又はＣＰＵ１００によりユーザ機器の操作のフローを実行するためのものである。
【００８９】
メモリ１４０は、データ記憶部１４３をさらに含んでもよく、該データ記憶部１４３は、データ、例えば連絡者、デジタルデータ、イメージ、音声及び／又は如何なるユーザ機器に用いられるデータを記憶する。メモリ１４０のドライバープログラム記憶部１４４は、ユーザ機器の通信機能及び／又はユーザ機器の他の機能（例えばメッセージ伝送アプリケーション、アドレスリストアプリケーション等）を実行するための各種のドライバープログラムを含んでもよい。
【００９０】
通信モジュール１１０は、アンテナ１１１を介して信号を送受信する送信機／受信機１１０である。通信モジュール（送信機／受信機）１１０はＣＰＵ１００に接続され、入力信号を供給し、受信信号を受信するものであり、通常の携帯電話と同じである。
【００９１】
異なる通信技術に基づいて、同一のユーザ機器では、複数の通信モジュール１１０、例えば移動体通信ネットワークモジュール、ブルートゥースモジュール及び／又は無線ローカルエリアネットワークモジュール等を設けてもよい。通信モジュール（送信機／受信機）１１０は音声処理部１３０を介してスピーカ１３１及びマイク１３２に接続され、スピーカ１３１を介して音声出力を提供し、マイク１３２からの音声入力を受信し、通常の電気通信機能を実現する。音声処理部１３０は、如何なる適切なバッファー、復号器、増幅器等を含んでもよい。また、音声処理部１３０は、ＣＰＵ１００にさらに接続されることで、マイク１３２を介してこのユーザ機器で録音することができ、スピーカ１３１を介してこのユーザ機器で記録された音声を再生することができる。
【００９２】
本発明の実施例は、コンピュータ読み出し可能なプログラムをさらに提供する。ユーザ機器において該プログラムを実行する際に、該プログラムは、コンピュータに、上記の伝送モードの設定方法を前記ユーザ機器において実行させる。
【００９３】
本発明の実施例は、コンピュータ読み出し可能なプログラムを記憶する記憶媒体をさらに提供する。該コンピュータ読み出し可能なプログラムは、コンピュータに、上記の伝送モードの設定方法をユーザ機器において実行させる。
【００９４】
本発明の実施例は、コンピュータ読み出し可能なプログラムをさらに提供する。基地局において該プログラムを実行する際に、該プログラムは、コンピュータに、上記の伝送モードの設定方法を前記基地局において実行させる。
【００９５】
本発明の実施例は、コンピュータ読み出し可能なプログラムを記憶する記憶媒体をさらに提供する。該コンピュータ読み出し可能なプログラムは、コンピュータに、上記の伝送モードの設定方法を基地局において実行させる。
【００９６】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００９７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2014517580.tif 000004
【図２】
2014517580.tif 000005
【図３】
2014517580.tif 000006
【図４】
2014517580.tif 000007
【図５】
2014517580.tif 000008
【図６】
2014517580.tif 000009
【図７】
2014517580.tif 000010
【図８】
2014517580.tif 000011
【国際調査報告】
2014517580.tif 000012
2014517580.tif 000013
2014517580.tif 000014
2014517580.tif 000015
2014517580.tif 000016
2014517580.tif 000017